(57)【特許請求の範囲】
【請求項１】
商品を吊持するための長尺部と、前記長尺部の先端部を上方に屈曲してなる先端屈曲部と、前記長尺部の後端部を下方に屈曲した後端係止部と、からなる商品陳列棒と；商品陳列用フレームに着脱自在に取りつけられる台座本体と、該台座本体の前面に設けられた受け穴部とからなり、前記商品陳列棒の後端係止部を着脱自在かつ回動不能に支持する台座と；を有し、商品陳列棒に吊持された商品の数が少なくなった際に、商品陳列棒を台座から取り外し該商品陳列棒の後端係止部から新しい商品を挿入補充し古い商品が常時前記長尺部の先端部分に位置せしめるようにしたことを特徴とする商品陳列具。
【請求項２】
前記長尺部の後端係止部の断面を非円形状となるように形成し、前記受け穴部の形状を該後端係止部の形状に対応して形成したことを特徴とする請求項１記載の商品陳列具。
【請求項３】
請求項１又は２記載の商品陳列具の台座から取り外された商品陳列棒に商品を補充するために用いられる商品補充補助器具であって、カートの適宜位置に着脱自在に装着される平板状の基材と、該基材の前面に設けられかつ前記商品陳列棒の先端屈曲部を係合する係合部とを有し、該係合部に前記商品陳列棒の先端屈曲部を係合し後端係止部を自由端とすることにより、該後端係止部から新しい商品を挿入補充し、ついでこの新しい商品を補充した商品陳列棒の後端屈曲部を前記台座の受け穴部に係止することにより古い商品が常時前記商品陳列棒の先端部分に位置せしめるようにしたことを特徴とする商品補充補助器具。
【請求項４】
前記商品陳列棒の後端係止部が先端屈曲部よりも上方に位置するように該商品陳列棒を傾斜させて前記係合部に該商品陳列棒の先端屈曲部を係合させ、後端係止部から挿入補充された新しい商品が該商品陳列棒を重力により自然滑落し先端屈曲部方向に移動するようにしたことを特徴とする請求項３記載の商品補充補助器具。
【請求項５】
請求項１又は２記載の商品陳列具と請求項３又は４記載の商品補充補助器具からなる商品補充機構であって、店頭に商品を陳列するため前記商品陳列具の商品陳列棒に商品を補充する際に、前記台座から前記商品陳列棒の後端係止部を外し、前記商品陳列棒の先端屈曲部を前記商品補充補助器具の前記係合部に係合せしめることにより、前記商品陳列棒の後端係止部から新しい商品を挿入補充し、ついでこの新しい商品を補充した商品陳列棒の後端屈曲部を前記台座の受け穴部に係止することにより古い商品が常時前記商品陳列棒の先端部分に位置せしめるようにしたことを特徴とする商品補充機構。
【発明の詳細な説明】
【０００１】
【発明の属する技術分野】
本発明は、店頭に商品を陳列するための商品陳列具、該商品陳列具に商品を補充するための商品補充補助器具及びそれらを用いた商品補充機構に関するものである。
【０００２】
【従来の技術】
従来、スーパーストア等の店頭に複数の商品を陳列するためには商品陳列具がよく使用されている。
【０００３】
一般的な商品陳列具としては、商品を吊持する長尺部と、この長尺部の後端に店舗内の商品陳列用フレームに取付けるための台座とが一体的に形成されたものが知られている。
【０００４】
しかし、このような商品陳列具では、長尺部の前側からの商品補充しか出来ず、新規入荷商品を陳列する際、現在陳列している古い商品を一度長尺部から取り外さなくてはならない。
【０００５】
古い商品は長尺部の前側に陳列し、新しい商品は後側に陳列することが商品管理上望ましく、小売業においては、これを称して先入先出と言う。上記した商品陳列具では、この先入先出が容易ではない。
【０００６】
そこで、例えば、商品を吊持する長尺部と商品陳列用フレームに取付けるための台座を水平方向に着脱可能に形成することにより、商品を補充する以前から陳列されている商品を長尺部の先端側に寄せ、新たに補充した商品を同じ長尺部の後端側に吊るすことができ、これにより商品は、補充の前から陳列されていた商品が手前側となって、先に売れるようにしたものが提案されている（図８）。
【０００７】
しかし、このような従来の着脱可能な商品陳列具では、台座に長尺部を係止するための構造が複雑で、取付作業に手間がかかるため、実際に新規商品を補充しようとすると、長尺部を台座から外して再度取付ける作業が面倒なため、改善の余地が残されていた。
【０００８】
また、該長尺部を該台座から外して一本づつ手にもったまま商品を補充しなければならないため、数十〜数千本もの商品陳列具が並んでいるスーパーストア等で商品の補充を行う場合には、極めて煩わしい作業であった。
【０００９】
さらに、実際には、スーパーストア等の店内には商品陳列棚が複数あり、これらの間を端から端まで移動しながら上記のように商品陳列具の長尺部を台座から外して一本づつ手にもって商品を補充することは極めて時間のかかる作業であり、また多大な労力を必要とするという問題があった。
【００１０】
【発明が解決しようとする課題】
本発明は、斯かる実情に鑑みなされたもので、新しい商品の補充の際に、極めて簡便にかつ迅速に商品の補充ができ、かつ商品の先入先出ができるようにした商品陳列具、商品補充補助器具及び商品補充機構を提供することを目的とする。
【００１１】
【課題を解決するための手段】
上記課題を解決するために、本発明の商品陳列具は、商品を吊持するための長尺部と、前記長尺部の先端部を上方に屈曲してなる先端屈曲部と、前記長尺部の後端部を下方に屈曲した後端係止部と、からなる商品陳列棒と；商品陳列用フレームに着脱自在に取りつけられる台座本体と、該台座本体の前面に設けられた受け穴部とからなり、前記商品陳列棒の後端係止部を着脱自在かつ回動不能に支持する台座と；を有し、商品陳列棒に吊持された商品の数が少なくなった際に、商品陳列棒を台座から取り外し該商品陳列棒の後端係止部から新しい商品を挿入補充し古い商品が常時前記長尺部の先端部分に位置せしめるようにしたことを特徴とする。
【００１２】
また、より好ましくは、上記長尺部の後端係止部の断面が非円形状となるように形成し、上記受け穴部の形状を該後端係止部の形状に対応して形成する。
【００１３】
このように構成すれば、上記商品陳列棒の後端係止部の断面が非円形状とされているため、上記台座の受け穴部に着脱自在に取付けた際に、上記商品陳列棒が回動してしまうことがなく、好適に商品を吊持することが可能となる。
【００１４】
また、本発明の商品補充補助器具は、上記した商品陳列具の台座から取り外された商品陳列棒に商品を補充するために用いられる商品補充補助器具であって、カートの適宜位置に着脱自在に装着される平板状の基材と、該基材の前面に設けられかつ前記商品陳列棒の先端屈曲部を係合する係合部とを有し、該係合部に前記商品陳列棒の先端屈曲部を係合し後端係止部を自由端とすることにより、該後端係止部から新しい商品を挿入補充し、ついでこの新しい商品を補充した商品陳列棒の後端屈曲部を前記台座の受け穴部に係止することにより古い商品が常時前記商品陳列棒の先端部分に位置せしめるようにしたことを特徴とする。
【００１５】
さらに、上記係合部を複数個設けるように構成すれば、該複数の係合部に上記商品陳列棒を複数本係合することができるため、同時に複数の商品陳列棒に商品を挿入補充できることが可能となり、迅速なる商品の補充作業が実現される。
【００１６】
また、上記商品陳列棒の後端係止部が先端屈曲部よりも上方に位置するように該商品陳列棒を傾斜させて上記係合部に該商品陳列棒の先端屈曲部を係合させ、後端係止部から挿入補充された新しい商品が該商品陳列棒を重力により自然滑落し先端屈曲部方向に移動するように構成すれば、古い商品が自ずから常時上記商品陳列棒の先端部分に位置するので、さらに好ましい。
【００１７】
また、本発明の商品補充機構は、上記した商品陳列具と商品補充補助器具からなる商品補充機構であって、店頭に商品を陳列するため上記商品陳列具の商品陳列棒に商品を補充する際に、上記台座から上記商品陳列棒の後端係止部を外し、上記商品陳列棒の先端屈曲部を上記商品補充補助器具の上記係合部に係合せしめることにより、上記商品陳列棒の後端係止部から新しい商品を挿入補充し、ついでこの新しい商品を補充した商品陳列棒の後端屈曲部を上記台座の受け穴部に係止することにより古い商品が常時上記商品陳列棒の先端部分に位置せしめるようにしたものである。
【００１８】
上記のように構成すれば、作業者は上記商品補充補助器具を手に持って移動する必要がなくなり、作業者は上記した商品補充補助器具が装着されたカートを押して店内を移動し、商品陳列用フレームに取付けられた商品陳列具の商品陳列棒を端から外して商品補充補助器具の係合部に端から係合し、上記商品陳列棒の後端係止部から新しい商品を挿入補充し、ついでこの新しい商品を補充した商品陳列棒の後端屈曲部を再び上記台座の受け穴部に係止することにより古い商品を上記商品陳列棒の先端部分に位置せしめて商品を陳列し、さらに再びカートを押して店内を移動して別の商品陳列用フレームに取付けられた商品陳列具に吊持された商品の補充作業の迅速化・能率化を図ることができるという利点がある。
【００１９】
また、この機構により、店頭に商品を陳列するため上記商品陳列棒に商品を補充する際に、上記台座から上記商品陳列棒の後端係止部を外し、複数の上記商品陳列棒の先端屈曲部を上記商品補充補助器具の上記係合部に係合せしめて、上記商品陳列棒の後端係止部から商品を挿入補充し、再び上記台座に上記商品陳列棒の後端係止部を係合するという新しい商品の補充作業が極めて効率よく行われるため、作業者は商品陳列棒を台座から外して一本づつ手にもったまま新しい商品を補充する必要がなく、従来の作業と比べて作業者への負担が著しく軽減される。
【００２０】
【発明の実施の形態】
以下に、添付図面を参照して本発明の実施の形態を詳細に説明するが、本発明の技術思想から逸脱しない限り図示例以外にも種々の変形又は変更が可能なことはいうまでもない。
【００２１】
図１は本発明の商品陳列具の一つの実施の形態を示す斜視説明図、図２は本発明の商品陳列具の他の実施の形態を示す斜視説明図、図３は本発明の商品補充補助器具の一つの実施の形態を示す斜視図であって、（ａ）は商品補充補助器具を前面から見た斜視図、（ｂ）は商品補充補助器具を背面から見た斜視図である。図４は本発明の商品補充機構の一つの実施の形態を示す斜視説明図、図５は本発明の商品補充機構の使用態様及び手順を総合的に示す斜視説明図で、（ａ）は台座に商品陳列棒を取付けた状態、（ｂ）は商品補充補助器具に商品陳列棒を係合した状態、（ｃ）は（ｂ）の状態から新しい商品を補充した状態、（ｄ）は新しい商品の補充が完了した（ｄ）の状態から再び台座に商品陳列棒を係合した状態をそれぞれ示す。
【００２２】
図６は本発明の商品補充補助器具をカートに装着した状態を示す要部概略斜視図、図７は図１のＶＩ−ＶＩ線拡大断面図である。
【００２３】
図１において、符号１０は本発明の商品陳列具である。該商品陳列具１０は、商品陳列棒１２と台座１４とから構成されている。商品陳列棒１２には、商品を吊持するための長尺部１６と、該長尺部１６の先端部を上方に屈曲してなる先端屈曲部１８と、前記長尺部１６の後端部を下方に屈曲しかつ断面が非円形状となるように形成された後端係止部２０とが設けられており、台座１４には、前記商品陳列棒１２の後端係止部２０を着脱自在かつ回動不能に取付けるための受け穴部２２と該受け穴部２２を背面から支持するための台座本体２４が設けられている。
【００２４】
符号Ｆは、台座１４を取付けるための商品陳列用フレームであって、該台座１４は、通常は商品陳列棚等の商品陳列用フレームＦに取付けられて使用される。
【００２５】
また、上記長尺部１６の後端係止部２０を断面が非円形状になるように形成し（図１及び図７）、上記受け穴部２２の形状を該後端係止部２０の形状に対応して形成すれば、上記台座１４の受け穴部２２に該後端係止部２０を着脱自在に取付けた際に、上記商品陳列棒１２が回動してしまうことがない。
【００２６】
台座本体２４は、商品陳列用フレームＦの上面に当接する頭部２３と、商品陳列用フレームＦの前面に当接する前面片２１と、商品陳列用フレームＦの後面に当接する後面片２５とからなり、断面コ字形状に形成されている。台座本体としては、図１に示した形状以外の種々の形状のものを用いることができ、例えば、図２に示したものを用いることができる。
【００２７】
図２において、２４ｂは台座本体の他の例を示しており、商品陳列用フレームＦが網目状（格子状）の場合に好適な態様のものである。前面片２１ｂを正面Ｖ字形状に形成し、その両上端部を背面側に屈曲せしめて後面片２５ｂ，２５ｂを設け、且つ、前面片２１ｂの下端部には下端突片２７ｂを設けるようにしたものである。このような台座本体２４ｂによれば、後面片２５ｂ，２５ｂを網目状（格子状）の商品陳列用フレームＦに引っ掛けるようにして掛止しておくことができる。
【００２８】
図３（ａ），（ｂ）において、符号２６は本発明の商品補充補助器具を示す。商品補充補助器具２６は、商品陳列棒１２の先端屈曲部１８を係合するための係合部２８と、該係合部２８の背面を支持するための平板状の基材３０からなり、該基材３０の前面３２には該係合部２８が設けられ、該基材３０の上端縁には係止凹部３６が延出され設けられている。該係止凹部３６は、該基材３０をカート４０に装着するためのものである（図３（ａ），（ｂ）及び図６）。
【００２９】
図３（ａ），（ｂ）において、上記係合部２８を複数個設けた例を示したが、このように複数個設ければ、該複数の係合部に上記商品陳列棒１２を複数本係合することができるため、後述する商品の補充作業がより迅速に行われる。
【００３０】
また、上記した基材３０の係止凹部３６は、図６に示される如く、該基材３０をカート４０に装着せしめるためのものであるが、該基材３０をカート４０に係止することができればよいもので、その形状に特別の限定はない。
【００３１】
図３（ａ），（ｂ）及び図４によく示されるごとく、該係合部２８の前面にはＵ字形の切り込みが入れられており、これにより、後述するように、商品陳列棒１２の先端屈曲部１８を係合する際に、該先端屈曲部１８が回動してしまうことがない。なお、このように該商品陳列棒１２の先端屈曲部１８が回動不能とする構成は種々考えられ、図示の例に限定されるものではない。
【００３２】
図４において、符号１１は、本発明の商品補充機構を示す。該商品補充機構１１は、上記した商品陳列具１０及び商品補充補助器具２６とから構成されている。店頭に商品を陳列するため上記商品陳列具１０の商品陳列棒１２に商品を補充する際には、台座１４の受け穴部２２から商品陳列棒１２の後端係止部２０を外し、商品陳列棒１２の先端屈曲部１８を商品補充補助器具２６の係合部２８に係合される。
【００３３】
このようにして、商品陳列棒１２の後端係止部２０から新しい商品を挿入補充し、ついでこの新しい商品を補充した商品陳列棒１２の後端係止部２０を台座１４の受け穴部２２に係止することにより古い商品が常時商品陳列棒１２の先端部分に位置せしめるようにされている。
【００３４】
図５によく示されるごとく、店頭に商品３８ａを陳列するため商品陳列棒１２に商品を補充する際には、商品陳列棒１２が商品３８ａを吊持して台座１４の受け穴部２２に商品陳列棒１２の後端係止部２０が取付けられた状態（図５（ａ））から、該受け穴部２２から商品陳列棒１２の後端係止部２０を外し、該商品陳列棒１２を１８０°回転させる（図５（ｂ））。このようにして下方を向いた商品陳列棒１２の先端屈曲部１８を商品補充補助器具２６の複数の係合部２８に係合せしめて商品陳列棒１２の後端係止部２０から新しい商品３８ｂを挿入補充し（図５（ｃ））、再び台座１４の受け穴部２２に商品陳列棒１２の後端係止部２０を係合する（図５（ｄ））ことにより、新しい商品３８ｂの補充作業が極めて効率よく行われる。
【００３５】
図６において、符号４０は、品出し用のカートである。図において、本発明の商品補充補助器具２６は、係止凹部３６によって該カート４０の周縁部４２に係止固定されている。
【００３６】
本発明の商品補充補助器具２６を該カート４０に取付けることにより、作業者は商品補充補助器具２６を手に持って移動する必要がなくなり、作業者はカート４０を押して店内を移動し、商品陳列用フレームＦに取付けられた商品陳列具１０の商品陳列棒１２を端から外して商品補充補助器具２６の係合部２８に端から係合し、商品陳列棒１２の後端係止部２０から商品３８ｂを挿入補充し、再び台座１４に商品陳列棒１２の後端係止部２０を係合して、再びカート４０を押して店内を移動することができるので、商品の補充作業の迅速化・能率化を図ることが可能となる。なお、符号４４は、品出し用の商品を入れておくためのコンテナである。
【００３７】
上記の構成により本発明の商品陳列具、商品補充補助器具及び商品補充機構の作用を以下に説明する。
【００３８】
図１及び図４（ａ）に示すように、本発明の商品陳列具１０は、商品陳列棒１２が商品３８ａを吊持し、台座１４に商品陳列棒１２が取付けられた状態で店頭での商品の陳列に使用される。該商品陳列棒１２の後端係止部２０は図７に示すように断面が非円形状（例えば、楕円形）とされており、また台座１４の受け穴部２２は該後端係止部２０に対応した形状とされているため、商品陳列棒１２が回動しないように構成されている。なお、該後端係止部２０の断面形状が図７の図示例に限定されるものではなく、非円形状とされていればよい。
【００３９】
商品補充補助器具２６は、図６に示すように、カート４０に取付けて使用する。これにより、作業者が商品補充補助器具２６を手に持って移動する必要がなくなり、作業者はカート４０を押して店内を移動して新しい商品３８ｂの補充作業を行うことができるので、作業者への負担が軽減される。
【００４０】
そして、商品陳列棒１２に商品を補充する場合には、図４（ｂ）に示すように、台座１４から商品陳列棒１２の後端係止部２０を外し、該商品陳列棒１２を１８０°回転させる。
【００４１】
このようにして下方を向いた商品陳列棒１２の先端屈曲部１８を商品補充補助器具２６の係合部２８に係合せしめて商品陳列棒１２の後端係止部２０から新しい商品３８ｂを挿入補充する（図４（ｃ））。商品補充補助器具２６としては、図３によく示されるごとく、基材３０の係合部２８を設けた面（前面３２）が外方に反るように構成し、上記商品陳列棒１２の後端係止部２０が先端屈曲部１８よりも上方に位置するように該商品陳列棒１２を傾斜させて上記係合部２８に該商品陳列棒１２の先端屈曲部１８を係合させ、後端係止部２０から挿入補充された新しい商品３８ｂが該商品陳列棒１２を重力により自然滑落し先端屈曲部１８方向に移動する。
【００４２】
上記後端係止部２０から挿入補充された新しい商品３８ｂは該商品陳列棒１２を重力により自然滑落し先端屈曲部１８方向に移動し、古い商品３８ａは自ずから常時上記商品陳列棒１２の先端部分に位置する。これにより、古い商品は前に新しい商品は後に陳列されるので、商品の先入先出が実現される。
【００４３】
そして、新しい商品３８ｂが補充された商品陳列棒１２の先端屈曲部１８を、商品補充補助器具２６の係合部２８から外し、再び台座１４に商品陳列棒１２の後端係止部２０を係合する（図４（ｄ））。
【００４４】
以上のようにして、本発明の商品陳列具、商品補充補助器具及び商品補充機構を用いることにより、新しい商品３８ｂの補充作業が極めて効率よく行われる。
【００４５】
【発明の効果】
以上述べたごとく、本発明の商品陳列具、商品補充補助器具及び商品補充機構によれば、新しい商品の補充の際に、極めて簡便にかつ迅速に商品の補充ができ、かつ商品の先入先出ができるという著大な効果を奏する。
【図面の簡単な説明】
【図１】本発明の商品陳列具の一つの実施の形態を示す斜視説明図である。
【図２】本発明の商品陳列具の他の実施の形態を示す斜視説明図である。
【図３】本発明の商品補充補助器具の一つの実施の形態を示す斜視図であって、（ａ）は商品補充補助器具を前面から見た斜視図、（ｂ）は商品補充補助器具を背面から見た斜視図である。
【図４】本発明の商品補充機構の一つの実施の形態を示す斜視説明図である。
【図５】本発明の商品補充機構の使用態様及び手順を総合的に示す斜視説明図で、（ａ）は台座に商品陳列棒を取付けた状態、（ｂ）は商品補充補助器具に商品陳列棒を係合した状態、（ｃ）は（ｂ）の状態から新しい商品を補充した状態、（ｄ）は新しい商品の補充が完了した（ｄ）の状態から再び台座に商品陳列棒を取付けた状態をそれぞれ示す。
【図６】本発明の商品補充補助器具をカートに取付けた状態を示す要部概略斜視図である。
【図７】図１のＶＩ−ＶＩ線拡大断面図である。
【図８】従来の商品陳列具を示す概略斜視図である。
【符号の説明】
１０：商品陳列具、１１：商品陳列機構、１２：商品陳列棒、１４，４６：台座、１６，４８：長尺部、１８：先端屈曲部、２０：後端係止部、２１：前面片、２２：受け穴部、２３：頭部、２４，２４ｂ：台座本体、２５，２５ｂ：後面片、２６：商品補充補助器具、２７ｂ：下端突片、２８：係合部、３０：基材、３２：前面、３６：係止凹部、３８ａ：商品、３８ｂ：新しい商品、４０：カート、４２：周縁部、４４：コンテナ、５０：ネジ、Ｆ：商品陳列用フレーム。
【図１】
0003592303.tif 000002
【図２】
0003592303.tif 000003
【図３】
0003592303.tif 000004
【図４】
0003592303.tif 000005
【図５】
0003592303.tif 000006
【図６】
0003592303.tif 000007
【図７】
0003592303.tif 000008
【図８】
0003592303.tif 000009